(57)【要約】【課題】布部分等の軟質部分と硬いスプリング部分とを分離することなく、一括してリサイクルでき、リサイクル費用を低減すると同時にリサイクル料金の適正配分を確実に行うことができるスプリングマットレスリサイクルシステムを提供する。【解決手段】引取業者端末から廃棄マットレスの数を含むデータを受信する受信手段と、引取業者端末から受信した廃棄マットレスの数を含むデータベースを記憶保存する記憶手段と、少なくとも引取業者端末から受信した廃棄マットレスの数を含むデータをデータベースに格納する業務状況格納手段と、データベースに記憶されたデータに基づいて、引取業者でストックされている廃棄マットレスのストック数を基づいて、廃棄マットレスの運送計画を確定する運送計画確定手段と、運送計画に基づく廃棄マットレスの運送指令を運送業者端末に送信する送信手段と、運送業者から廃棄マットレスを引き取った製鋼業者から廃棄マットレスの数を含むデータを受信する受信手段とを備える。【選択図】  図１
2005352847.tif 000002
【特許請求の範囲】
【請求項１】
スプリング入りの廃棄マットレスを排出者から引き取る引取業者側に設置される引取業者端末と、引取業者から直接的にまたは間接的に受け入れた廃棄マットレスを熔解炉に投入する熔解炉業者側に設置される熔解炉業者端末を用いると共に、管理センター側に設置され引取業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者の引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
廃棄マットレスを受け入れた熔解炉業者から廃棄マットレスの数を含むデータを通信ネットワークを介して受信する受信手段と、
引取業者端末から通信ネットワークを介して受信した廃棄マットレスの数を含むデータをデータベースに格納する業務状況格納手段とを備えることを特徴とするスプリングマットレスリサイクルシステム。
【請求項２】
スプリング入りの廃棄マットレスを排出者から引き取る引取業者側に設置される引取業者端末と、引取業者から直接的にまたは間接的に受け入れた廃棄マットレスを熔解炉に投入する熔解炉業者側に設置される熔解炉業者端末を用いると共に、管理センター側に設置され引取業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
廃棄マットレスを受け入れた熔解炉業者から廃棄マットレスの数を含むデータを通信ネットワークを介して受信する受信手段と、
少なくとも引取業者における廃棄マットレスの引取数、熔解炉業者における廃棄マットレスの受入数をデータベースに格納する業務状況格納手段と、
データベースに格納されている引取業者における廃棄マットレスの引取数、熔解炉業者における廃棄マットレスの受入数に基づいて、引取業者、熔解炉業者のそれぞれに対する料金を確定する料金確定手段とを備えることを特徴とするスプリングマットレスリサイクルシステム。
【請求項３】
スプリング入りの廃棄マットレスを排出者から引き取る引取業者側に設置される引取業者端末と、引取業者に引き取られた廃棄マットレスを引取業者から引き取って運送する運送業者側に設置される運送業者端末と、廃棄マットレスを熔解炉に投入する熔解炉業者側に設置される熔解炉業者端末を用いると共に、管理センター側に設置され引取業者端末、運送業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
引取業者端末から通信ネットワークを介して受信した廃棄マットレスの数を含むデータをデータベースに格納する業務状況格納手段と、
引取業者でストックされている廃棄マットレスのストック数をデータベースから読み込み、ストック数に基づいて廃棄マットレスの運送計画を確定する運送計画確定手段と、
運送計画に基づいて廃棄マットレスを運送した運送業者から廃棄マットレスを受け入れた熔解炉業者から廃棄マットレスの数を含むデータを通信ネットワークを介して受信する受信手段とを備えることを特徴とするスプリングマットレスリサイクルシステム。
【請求項４】
スプリング入りの廃棄マットレスを排出者から引き取る引取業者側に設置される引取業者端末と、引取業者に引き取られた廃棄マットレスを引取業者から引き取って運送する運送業者側に設置される運送業者端末と、廃棄マットレスを熔解炉に熔解炉業者側に設置される熔解炉業者端末を用いると共に、管理センター側に設置され引取業者端末、運送業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
引取業者でストックされている廃棄マットレスのストック数をデータベースから読み出し、ストック数に基づいて廃棄マットレスの運送計画を確定する運送計画確定手段と、
運送計画に基づいて廃棄マットレスを運送した運送業者から廃棄マットレスを受け入れた熔解炉業者から廃棄マットレスの数を含むデータを通信ネットワークを介して受信する受信手段と、
少なくとも引取業者における廃棄マットレスの引取数、運送業者における廃棄マットレスの運送数、熔解炉業者における廃棄マットレスの受入数をデータベースに格納する業務状況格納手段と、
データベースに格納されている引取業者における廃棄マットレスの引取数、運送業者における廃棄マットレスの運送数、熔解炉業者における廃棄マットレスの受入数に基づいて、引取業者、運送業者、熔解炉業者のそれぞれに対する料金を確定する料金確定手段とを備えることを特徴とするスプリングマットレスリサイクルシステム。
【請求項５】
請求項１〜請求項４のうちのいずれか一項において、引き取られる廃棄マットレスに取り付けられるリサイクル券を取り次ぐ取次業者側に設置される取次業者端末が設置されており、前記マスターコンピュータは、取次業者端末から少なくともリサイクル券の支払い料金の額のデータを通信ネットワークを介して受信する受信手段を備えていることを特徴とするスプリングマットレスリサイクルシステム。
【請求項６】
請求項１〜請求項５のいずれか一項において、前記マスターコンピュータは、廃棄マットレスを引き取った引取業者端末から廃棄マットレスを圧縮したことを確定するデータを通信ネットワークを介して受信する受信手段を備えることを特徴とするスプリングマットレスリサイクルシステム。
【請求項７】
請求項１〜請求項６のうちのいずれか一項において、熔解炉業者に引き取られた廃棄マットレスは、圧縮されて嵩密度が高くされていると共にスプリングの集合度が増加していることを特徴とするスプリングマットレスリサイクルシステム。
【請求項８】
請求項１〜請求項７のうちのいずれか一項において、引取業者端末は、排出者から廃棄マットレスを引き取る１次引取業者側に設置される１次引取業者端末と、１次引取業者から廃棄マットレスを引き取る２次引取業者側に設置される２次引取業者端末との一方または双方であることを特徴とするスプリングマットレスリサイクルシステム。
【請求項９】
請求項１〜請求項８のうちのいずれか一項において、引取業者から引き取った状態では、廃棄マットレスを特定する番号、記号、文字、図形、バーコードのうちの少なくとも一つの特定情報を記載したリサイクル券が廃棄マットレスに添付されていることを特徴とするスプリングマットレスリサイクルシステム。
【発明の詳細な説明】
【技術分野】
【０００１】
本発明は廃棄されるスプリング入りのスプリングマットレスをリサイクルするリサイクルシステムに関する。
【背景技術】
【０００２】
使用済みスプリングマットレスを廃棄処分しようとする消費者等の排出者は、通常、市町村に依頼している。この場合、スプリングマットレスを粗大ごみとして取り扱い、市町村発行の粗大ごみ処理券を購入し、廃棄処分している。この場合、スプリングマットレスをスプリング部分とマットレス部分とに分別して排出することを排出者に要求される場合もありうる。しかし、スプリングマットレスは鋼鉄等の金属製のコイルスプリング部分とウレタンフォーム等の軟質材料とを基材しており、更に、可燃性の布等の部分とコイルスプリング部分とが金属クリップ等でしっかりと結合された構造をなしている。このため、スプリングマットレスを解体分別することは、消費者等の排出者にとって極めて困難である。また、排出者自らがスプリングマットレスをそのまま自治体の処理施設への持ち込む場合もありうるが、スプリングマットレスは形状が大きくて持ちにくく、重量が例えば２０ｋgを超える大きなものもあり、運送も容易ではない。
【０００３】
家具を買換えする際に、家具店に引取ってもらうことにより廃棄処理する場合には、専門の処理業者に処理してもらうために、高額の処理費を処理業者に支払わなければならない。
【０００４】
更に、市町村や処理業者では収集したスプリングマットレスは形が大きいためにそのままでは焼却できない。スプリングマットレスを破砕機で破砕した後に焼却炉で焼却しているのが実情であるが、鋼鉄等の金属製のスプリングと軟質部分との混合体を破砕するときには、破砕機の刃にダメージを与え易い。更に布部分が破砕機の回転軸等に絡みつき、破砕機の運転停止に陥ることが多い。このように適正に処理することが困難である。このため、平成６年には廃棄物処理法で適正処理困難物に指定されているほどである．従って、やむを得ずスプリングマットレスを解体し、布部分とスプリング部分とを分別し、布部分は焼却、スプリング部分は屑鉄としているが、スプリングは内部の空隙が多く、かさ密度が極めて小さい為に、有価物として扱われず、処理費を払って処理している状況にある。
【０００５】
また、従来、廃棄されるスプリングマットレスは既に述べた如く、スプリング部分が屑鉄等の金属屑として引取られているものの、布部分は焼却炉で焼却されるにとどまっており、充分にリサイクルされているとはいえない。また、リサイクル目的で回収したものが不法投棄されないように監視すると同時にリサイクル料金を適切に配分するためには、回収したスプリングマットレスを特定することが要請される。このための、回収したスプリングマットレスを特定する手段に関する先行事例は無いが、関連事例として、既にリサイクル法が施行されている家庭用電気機器に関して、特開２００２−２３０１５３号公報がある。この事例によれば、所定料金の支払いにより発行されるリサイクル券を、廃棄される電気機器に貼付することにより廃棄物を特定し、適正なリサイクルプラントへ選択的に搬送する物流管理システムにおいて、引取り場所で特定された廃棄物のデータとリサイクルプラントにおいて特定された廃棄物のデータとを比較することで、所定の料金の分配を適正に行おうとしている。
【特許文献１】特開２００２−２３０１５３号公報
【発明の開示】
【発明が解決しようとする課題】
【０００６】
上記した特開２００２−２３０１５３号公報に係る技術によれば、リサイクル券により廃棄物を特定し、引取り場所からリサイクルプラントまでの経路を特定し、リサイクル料金の適正分配を可能としているが、必ずしも充分ではない
本発明は上記した実情に鑑みてなされたものであり、スプリングマットレスの廃棄にあたり、布部分等の軟質部分と硬いスプリング部分とを分別せずともよく、リサイクル費用を低減することができるスプリングマットレスリサイクルシステムを提供することを課題とする。更に本発明は、引取場所からリサイクルプラントまでの経路を特定でき、リサイクル料金の適正料金を確実に行うことができると同時に、リサイクル費用を低減することができるスプリングマットレスリサイクルシステムを提供することを課題とする。
【課題を解決するための手段】
【０００７】
（１）第１発明に係るスプリングマットレスリサイクルシステムは、スプリング入りの廃棄マットレスを排出者から引き取る引取業者側に設置される引取業者端末と、引取業者から直接的にまたは間接的に受け入れた廃棄マットレスを熔解炉に投入する熔解炉業者側に設置される熔解炉業者端末を用いると共に、管理センター側に設置され引取業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者の引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
廃棄マットレスを受け入れた熔解炉業者から廃棄マットレスの数を含むデータを通信ネットワークを介して受信する受信手段と、
引取業者端末から通信ネットワークを介して受信した廃棄マットレスの数を含むデータをデータベースに格納する業務状況格納手段とを備えることを特徴とするものである。
【０００８】
第１発明によれば、スプリングマットレスを資源または処理材等として、製鋼工場等の熔解炉業者の熔解炉に投入するため、スプリングマットレスの廃棄にあたり、布部分等の軟質部分と硬いスプリング部分とに解体せずともよい。また引取業者が引き取った廃棄マットレスの数、つまり、処分される廃棄マットレスの数をデータベースにより把握することができる。更に、廃棄マットレスを受け入れた熔解炉業者から廃棄マットレスの数を含むデータを受信するため、廃棄マットレスの廃棄処分を把握することができる。
【０００９】
（２）第２発明に係るスプリングマットレスリサイクルシステムは、スプリング入りの廃棄マットレスを排出者から引き取る引取業者側に設置される引取業者端末と、引取業者から直接的にまたは間接的に受け入れた廃棄マットレスを熔解炉に投入する熔解炉業者側に設置される熔解炉業者端末を用いると共に、管理センター側に設置され引取業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者の引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
廃棄マットレスを受け入れた熔解炉業者から廃棄マットレスの数を含むデータを通信ネットワークを介して受信する受信手段と、
少なくとも引取業者における廃棄マットレスの引取数、熔解炉業者における廃棄マットレスの受入数をデータベースに格納する業務状況格納手段と、
データベースに格納されている引取業者における廃棄マットレスの引取数、熔解炉業者における廃棄マットレスの受入数に基づいて、引取業者、熔解炉業者のそれぞれに対する料金を確定する料金確定手段とを備えることを特徴とするものである。マスターコンピュータは、引取業者、熔解炉業者に対する料金に関する情報を引取業者、熔解炉業者にそれぞれ通信ネットワークを介して送信する送信手段を備えることができる。
【００１０】
第２発明によれば、スプリングマットレスを資源または処理材等として、製鋼工場等の熔解炉業者の熔解炉に投入するため、スプリングマットレスの廃棄にあたり、布部分等の軟質部分と硬いスプリング部分とに解体せずともよい。更に、廃棄マットレスを受け入れた熔解炉業者から廃棄マットレスの数を含むデータを受信するため、廃棄マットレスの廃棄処分を把握することができる。更に、引取業者における廃棄マットレスの引取数、熔解炉業者における廃棄マットレスの受入数をデータベースに基づいて確定することができる。そしてデータベースに格納されている引取業者における廃棄マットレスの引取数、熔解炉業者における廃棄マットレスの受入数に基づいて、引取業者、熔解炉業者のそれぞれに対する料金を確定する。このため料金の支払いを前提としたシステムが構築される。
【００１１】
（３）第３発明に係るスプリングマットレスリサイクルシステムは、スプリング入りの廃棄マットレスを排出者から引き取る引取業者側に設置される引取業者端末と、引取業者に引き取られた廃棄マットレスを引取業者から引き取って運送する運送業者側に設置される運送業者端末と、廃棄マットレスを熔解炉に投入する熔解炉業者側に設置される熔解炉業者端末を用いると共に、管理センター側に設置され引取業者端末、運送業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者の引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
引取業者端末から通信ネットワークを介して受信した廃棄マットレスの数を含むデータをデータベースに格納する業務状況格納手段と、
引取業者でストックされている廃棄マットレスのストック数をデータベースから読み込み、ストック数に基づいて廃棄マットレスの運送計画を確定する運送計画確定手段と、
運送計画に基づいて廃棄マットレスを運送した運送業者から廃棄マットレスを受け入れた熔解炉業者から廃棄マットレスの数を含むデータを通信ネットワークを介して受信する受信手段とを備えることを特徴とするものである。マスターコンピュータは、運送計画に基づく廃棄マットレスの運送指令を運送業者端末に通信ネットワークを介して送信する送信手段を備えることができる。
【００１２】
第３発明によれば、スプリングマットレスを資源または処理材等として、製鋼工場等の熔解炉業者の熔解炉に投入するため、スプリングマットレスの廃棄にあたり、布部分等の軟質部分と硬いスプリング部分とに解体せずともよい。更に、廃棄マットレスを受け入れた熔解炉業者から廃棄マットレスの数を含むデータを受信するため、廃棄マットレスの廃棄処分を把握することができる。更に、データベースに記憶されたデータに基づいて、引取業者でストックされている廃棄マットレスのストック数を確定し、廃棄マットレスの運送計画を確定し、運送計画に基づく廃棄マットレスの運送指令を運送業者端末に送信するため、引取り場所の廃棄マットレスのストックスペースを極力少なくかつ運送効率を極力高くでき、リサイクル費用を低減することができる。
【００１３】
（４）第４発明に係るスプリングマットレスリサイクルシステムは、スプリング入りの廃棄マットレスを排出者から引き取る引取業者側に設置される引取業者端末と、引取業者に引き取られた廃棄マットレスを引取業者から引き取って運送する運送業者側に設置される運送業者端末と、廃棄マットレスを熔解炉に熔解炉業者側に設置される熔解炉業者端末を用いると共に、管理センター側に設置され引取業者端末、運送業者端末、熔解炉業者端末に通信ネットワークを介してそれぞれ接続されるマスターコンピュータとを用い、廃棄マットレスをリサイクルするスプリングマットレスリサイクルシステムであって、
前記マスターコンピュータは、
廃棄マットレスを引き取った引取業者の引取業者端末から廃棄マットレスの数を含むデータを通信ネットワークを介して受信する受信手段と、
少なくとも引取業者端末から通信ネットワークを介して受信した廃棄マットレスの数を含むデータを格納するデータベースを記憶保存する記憶手段と、
引取業者でストックされている廃棄マットレスのストック数をデータベースから読み出し、ストック数に基づいて廃棄マットレスの運送計画を確定する運送計画確定手段と、
運送計画に基づいて廃棄マットレスを運送した運送業者から廃棄マットレスを受け入れた熔解炉業者から廃棄マットレスの数を含むデータを通信ネットワークを介して受信する受信手段と、
少なくとも引取業者における廃棄マットレスの引取数、運送業者における廃棄マットレスの運送数、熔解炉業者における廃棄マットレスの受入数をデータベースに格納する業務状況格納手段と、
データベースに格納されている引取業者における廃棄マットレスの引取数、運送業者における廃棄マットレスの運送数、熔解炉業者における廃棄マットレスの受入数に基づいて、引取業者、運送業者、熔解炉業者のそれぞれに対する料金を確定する料金確定手段とを備えることを特徴とするものである。マスターコンピュータは、引取業者、運送業者、熔解炉業者に対する料金に関する情報を引取業者、運送業者、熔解炉業者にそれぞれ通信ネットワークを介して送信する送信手段を備えることができる。
【００１４】
第４発明によれば、スプリングマットレスを資源または処理材等として、製鋼工場等の熔解炉業者の熔解炉に投入するため、スプリングマットレスの廃棄にあたり、布部分等の軟質部分と硬いスプリング部分とに解体せずともよい。更に、廃棄マットレスを受け入れた熔解炉業者から廃棄マットレスの数を含むデータを受信するため、廃棄マットレスの廃棄処分を把握することができる。更に、データベースに記憶されたデータに基づいて、引取業者でストックされている廃棄マットレスのストック数を確定し、廃棄マットレスの運送計画を確定し、運送計画に基づいて運送業者が運送するため、引取り場所の廃棄マットレスのストックスペースを極力少なくかつ運送効率を極力高くでき、リサイクル費用を低減することができる。更に、引取業者における廃棄マットレスの引取数、運送業者における廃棄マットレスの運送数、熔解炉業者における廃棄マットレスの受入数をデータベースに基づいて確定する。そしてデータベースに格納されている引取業者における廃棄マットレスの引取数、運送業者における廃棄マットレスの運送数、熔解炉業者における廃棄マットレスの受入数に基づいて、引取業者、運送業者、熔解炉業者のそれぞれに対する料金を確定する。そして、引取業者、運送業者、熔解炉業者に対する料金に関する情報を引取業者、運送業者、熔解炉業者に送信する。このため料金の支払いを前提としたシステムが構築される。
【発明の効果】
【００１５】
第１発明〜第４発明によれば、廃棄物処理法で適正処理困難物に指定されているスプリングマットレスの廃棄にもかかわらず、布部分等の軟質部分と硬いスプリング部分とを分別せずともよい。更に第２発明によれば、それに加えて、料金の支払いを前提としたシステムが構築される。
【００１６】
また第３発明及び第４発明によれば、それに加えて、引取り場所のストックスペースを極力少なくかつ運送効率を極力高くできる管理システムを構築し、リサイクル費用を低減することができるスプリングマットレスリサイクルシステムを提供できる。更に第４発明によれば、それに加えて、料金の支払いを前提としたシステムが構築される。
【発明を実施するための最良の形態】
【００１７】
マスターコンピュータは、管理センター側に設置されるものであり、通信ネットワークを介しての受信機能及び送信機能を有すると共に、記憶媒体を備えるものをいう。本発明に係るシステムによれば、引き取られる廃棄マットレスに取り付けられるリサイクル券を取り次ぐ取次業者側に設置される取次業者端末が設置されている形態を採用できる。この場合、マスターコンピュータは、取次業者端末から少なくともリサイクル券の支払い料金の額を通信ネットワークを介して受信する受信手段を備えている形態を採用できる。これによりリサイクル券の支払い料金の額が把握される。
【００１８】
また本発明に係るシステムによれば、マスターコンピュータは、廃棄マットレスを引き取った引取業者の引取業者端末から廃棄マットレスを圧縮したことを確定するデータを通信ネットワークを介して受信する受信手段を備える形態を採用できる。スプリングマットレスが圧縮されると、嵩密度が高くなり、嵩体積が収縮し、ストックや運送に有利となる。更に、熔解炉業者側で熔解炉に投入するとき、マットレスの嵩密度が低くくて嵩体積が大きい場合に比較して、金属溶湯への投入が容易となり、金属溶湯の調整を行い易い。更にマットレスを圧縮した場合には、マットレスのスプリング部分の集合度が増加するため、熔解炉業者側で電磁マグネット手段を用いて熔解炉に投入するとき、電磁マグネット手段に対するマットレスの磁気吸引性が増加され、ひいては熔解炉への投入性が改善される。従って、本発明によれば、熔解炉業者に引き取られた廃棄マットレスは、圧縮されて嵩密度が高くされていると共にスプリングの集合度が増加している形態を採用できる。
【００１９】
また本発明に係るシステムによれば、引取業者端末は、排出者から廃棄マットレスを引き取る１次引取業者側に設置される１次引取業者端末と、１次引取業者から廃棄マットレスを引き取る２次引取業者側に設置される２次引取業者端末との一方または双方である形態を採用できる。引取業者から引き取った状態では、廃棄マットレスを特定する番号、記号、文字、図形、バーコードのうちの少なくとも一つの特定情報を記載したリサイクル券が廃棄マットレスに添付されていることが好ましい。
【実施例】
【００２０】
以下、本発明の実施例について図面を参照しつつ具体的に説明する。図１はシステム図を示す。本システムは、金属（鋼等）を基材とするスプリングを内蔵する廃棄マットレス１を排出者（消費者またはホテル等）から引き取ってリサイクルするシステムである。以下、マットレスというときには、スプリング入りの廃棄マットレスを意味する。本システムは、廃棄マットレス１を引き取る引取業者と、引取業者に引き取られた廃棄マットレス１を引取業者から運送する運送業者としての運送会社４、廃棄マットレス１を熔解炉５２に資源または処理材として投入する製鋼業者（熔解炉業者）としての製鋼工場５を備える。引取業者は、排出者から廃棄マットレス１を引き取る１次引取業者である家具店２と、家具店２から廃棄マットレス１を引き取る２次引取業者である集配センター３とを備える。更に、引き取られる廃棄マットレス１に取り付けられるリサイクル券を取り次ぐ取次業者７が用意されている。
【００２１】
複数の取次業者７と、複数の家具店２と、複数の集配センター３などは、地域ごとの拠点として配置されている。管理センター６はその地域を統括するものとして配置されている。従って管理センター６は、家具店２と集配センター３と運送会社４と製鋼工場５と取次業者７とを統括して管理する。
【００２２】
引取業者側には引取業者端末が設置されている。従って１次引取業者である家具店２には家具店端末２０が設置されている。２次引取業者である集配センター３には集配センター端末３０が設置されている。運送会社４側には運送会社端末４０が設置されている。リサイクルプラントをもつ製鋼工場５には製鋼工場端末５０が設置されている。取次業者である取次業者７には取次業者端末７０が設置されている。端末は一般的にはコンピュータを意味する。管理センター６には、データベースを保有可能なマスターコンピュータ６０が設置されている。マスターコンピュータ６０はデータベースを格納する記憶媒体６３（記憶手段）を有する。図２に示すように、マスターコンピュータ６０は、取次業者端末７０、家具店端末２０、集配センター端末３０、運送会社端末４０、製鋼工場端末５０、更には、自治体リサイクルセンター１００の端末１１０、排出者の端末２００に通信ネットワークを介してそれぞれ双方向アクセス可能とされている。
【００２３】
先ず、全体の流れを説明する。リサイクル券８は、管理センター６（例えばベッド工業会等が設立）より発行される。リサイクル券８には識別番号である一連のＩＤ番号が付与されており、リサイクル券８ごとに識別して特定できるようになっている。従ってリサイクル券８を添付した廃棄マットレスは、他の廃棄マットレスに対して特定可能、識別可能である。図３はリサイクル券８の一例を示す。図３に示すようにリサイクル券８は、券８０（排出者控え・領収書兼）、受付店用控え８１、マットレスを圧縮加工する加工センター用控え８２、運送会社用控え８３と、製鋼工場用控え８４とを備える。券８０（排出者控え・領収書兼）は、リサイクル券８を特定するＩＤ番号、再商品化料金、発行日（年月日）、取次業者等の取扱店名（住所、ＴＥＬ番号）、マットレス１の情報（メーカー名、サイズ）、排出者氏名（住所、ＴＥＬ番号）を表示する。
【００２４】
使用済みスプリングマットレス１を排出しようとする排出者は、リサイクル券８の取次業者である取次業者７から所定金額のリサイクル料金を支払ってリサイクル券８を購入する。そしてスプリングマットレス１を排出しようとする排出者は、リサイクル券８をマットレス１に貼付する。マットレス１に貼付された状態のリサイクル券８は、券８０、受付店用控え８１、加工センター用控え８２、運送業者用控え８３、製鋼工場用控え８４を備える。排出者は、リサイクル券８を貼付されたスプリングマットレス１を家具店２に搬入し、家具店２に廃棄マットレス１の引取を依頼する。あるいは、排出者は廃棄マットレス１の集配センター３に直接依頼しても良い。
【００２５】
図４は、廃棄マットレス１を引き取った家具店２が端末２０で入力する受付入力データを示す。図４に示すように受付入力データは、受け付けた年月日、マットレス１のリサイクル券８のＩＤ番号、排出者情報（氏名、住所、ＴＥＬ）、マットレス情報（マットレスメーカ名、マットレスサイズ）を表示する。引取りをした家具店２（または集配センター３）の家具店端末２０は、廃棄スプリング入りマットレス１の引取報告をマスターコンピュータ６０にその日のうちに家具店端末２０（または集配センター端末３０）から送信する。この場合、図４に示すように受付入力データに表示されている情報、即ち、リサイクル券のＩＤ番号、排出者情報（氏名、住所、ＴＥＬ番号）、マットレス１情報（マットレスメーカ名、マットレスサイズ）は、マスターコンピュータ６０に通信ネットワークを介して自動的に送信される。リサイクル券５のＩＤ番号はリサイクル券毎に番号が相違するため、リサイクル券のＩＤ番号は、廃棄マットレスを個別に識別する番号である。故に、リサイクル券５のＩＤ番号の合計数は廃棄マットレス１の合計数に相当する。
【００２６】
各集配センター３には、図１１（ａ）（ｂ）に示すように、スプリングマットレス１を圧縮加工する圧縮装置９がそれぞれ据えつけられている。圧縮装置９は、マットレス１を保持する基部９０と、基部９０に保持されているスプリング入れマットレス１をスプリング１１が集合する方向に圧縮加工する加圧部９１とを備える。集配センター３に搬入されたマットレス１は、集配センター３において圧縮装置９により圧縮加工され、圧縮加工された後に梱包される。圧縮加工されたマットレス１は嵩密度が高くなり、嵩体積が小さくなる。圧縮加工に伴い、マットレス１に含まれているスプリング１１の部分は互いに重なり、鋼等の金属を基材とするスプリング１１の集合度が増加する。この場合、マットレス１に内蔵されているスプリング１１の中心軸芯Ｐに沿って圧縮させる形態、あるいは、マットレス１に内蔵されているスプリング１１の中心軸芯Ｐと交差する向きに圧縮力を加える形態のいずれを採用しても良い。スプリング１１の集合度を高めるためには、マットレス１に内蔵されているスプリング１１の中心軸芯Ｐに沿って圧縮させる形態よりも、図１１に示すように、マットレス１に内蔵されているスプリング１１の中心軸芯Ｐに交差する向きに沿って、つまりスプリング１１の半径方向に沿って圧縮力をマットレス１に加える形態を採用することが好ましい。スプリングマットレス１が圧縮加工されると、嵩密度が高くなり、嵩体積が収縮し、ストックや運送に有利となる。また、マットレス１の内部の多孔質の軟質部分１２はフィルタ作用を奏するため、マットレス１の内部に付着していた塵埃が飛散しにくくなる。故にマットレス１が圧縮加工されている場合には、マットレス１に付着している塵埃等も溶解炉に投入され易い。更に、製鋼工場５側で熔解炉５２（一般的には電気炉）にマットレス１が投入されるとき、マットレス１の嵩密度が低くて嵩体積が大きい場合に比較して、金属溶湯への投入が容易となり、熔解炉５２の金属溶湯の調整が行われ易い。マットレス１が圧縮加工されている場合には、マットレス１のスプリング１１の集合度が増加するため、スプリング１１が鉄系等のように磁気吸着可能な材料であれば、製鋼工場５側で電磁マグネット手段５３を用いてマットレス１を熔解炉５２の金属溶湯５５に投入するとき、電磁マグネット手段５３に対するマットレス１の磁気吸着性が増加され、ひいては熔解炉５２へのマットレス１の投入性が改善される。更に、万一、圧縮加工されたマットレス１が製鋼工場５において熔解前に屋外にストックされるときであっても、マットレス１の嵩密度が高くされ気孔率が低下しているため、圧縮加工されておらず嵩密度が低い場合に比較して、凝固欠陥を誘発するおそれがある水分吸収量がマットレス１において少なくなる利点が得られ、金属溶湯５５の品質の維持に有利となる。
【００２７】
図５は、マットレス１を圧縮加工する業者（集配センター３）側が端末３０から入力する圧縮加工入力データを示す。図５に示すように、圧縮加工入力データは、圧縮加工した年月日、圧縮加工した集配センター３のコード番号、圧縮加工したマットレス１に貼り付けられているリサイクル券８のＩＤ番号を表示する。集配センター３の集配センター端末３０は、貼付されているリサイクル券８のＩＤ番号を、集配センター３のコード番号と共に集配センター３により、圧縮加工をした日のうちにマスターコンピュータ６０に通信ネットワークを介して送信する。前記したようにリサイクル券５のＩＤ番号はリサイクル券毎に番号が相違するため、リサイクル券のＩＤ番号の数はマットレス１の数に相当する。
【００２８】
マスターコンピュータ６０は、集配センター３から送信されたマットレス１の圧縮加工数に関する情報をデータベースに格納する。またマスターコンピュータ６０は、データベースのデータを読み込み、それに基づいて各地の集配センター３における現在の廃棄マットレス１のストック数を確定する。そして、マスターコンピュータ６０は、各地の集配センター３におけるストック数と製鋼工場５の所在地に基づき巡回収集計画（運送計画）を立案する。管理センター６のマスターコンピュータ６０は、巡回回収する運送会社端末４０に巡回指令（運送指令）を通信ネットワークを介して送信すると同時に、その巡回収集計画を製鋼工場端末５０に通信ネットワークを介して送信する。巡回収集計画に基づき、運送会社４の車両は、複数の集配センター３を巡回収集し、各集配センター３にストックされている廃棄マットレス１（圧縮加工済み）を収集する。図６は運送会社４が端末４０から入力する収集入力データを示す。図６に示すように、収集入力データは、巡回収集した年月日、巡回収集した運送会社の名称、運送会社のコード番号、収集したマットレスに貼り付けられているリサイクル券８のＩＤ番号を表示する。図６に示すこれらのデータは、収集したその日のうちに、運送会社端末４０からマスターコンピュータ６０に通信ネットを介して送信される。
【００２９】
運送会社４の車両４３は、前記圧縮加工されたスプリングマットレス１を巡回収集計画に基づいて製鋼工場５に運送する。図７は製鋼工場５が入力する受入入力データを示す。図７に示すように、受入入力データは、廃棄マットレスを受け入れた年月日、受け入れた製鋼工場の名称、運送会社名、運送会社のコード番号、受け入れたマットレスに貼り付けられているリサイクル券８のＩＤ番号を表示する。前記したようにリサイクル券５のＩＤ番号はリサイクル券毎に番号が相違するため、リサイクル券のＩＤ番号の数はマットレス１の数に相当する。
【００３０】
図７に示すこれらのデータは、受け入られたその日のうちに、製鋼工場端末５０からマスターコンピュータ６０に通信ネットワークを介して送信される。製鋼工場５に受入られた当該廃棄マットレス１は、電気炉等の熔解炉５２に資源または処理材等として投入され、熔解炉５２の鉄系の金属溶湯（一般的には溶鋼、溶銑）で熔解される。マットレス１の鉄系のスプリング１１の部分は鉄鋼材料となる。マットレス１の布部分等の軟質部分１２は燃焼して熔解熱の助燃材または炭素調整材等の処理材となる。
【００３１】
本実施例によれば、マスターコンピュータ６０は、家具店２または集配センター３における収集／引取時の情報、集配センター３における圧縮加工の情報、運送会社４における運送の情報、製鋼工場５の受入情報に基づき、当該スプリングマットレス１の物流状況をまとめる。そして管理センター６は、通信ネットワークを利用して排出者および第３者が確認できるように、インターネットのホームページ等に表示し、公開する。ここで、マスターコンピュータ６０は、圧縮加工業者でもある集配センター３における廃棄マットレス１のストック状況を把握する。図８は、特定の年月日の特定の時刻について、各集配センター３において廃棄マットレス１（圧縮加工済み）のストック状況を表すデータベースＡを示す。データベースＡは、集配センター３の名称、集配センター３のコード番号、マットレス１のサイズ別（シングル、セミダブル、ダブル、ワイドダブル、クイーン、その他）のストック数を示す。このデータベースＡは、排出者に関する個人情報（氏名、住所等）を開示しない。
【００３２】
図９は、管理センター６が作成するマットレス物流状況を表すデータベースＢを示す。このデータベースＢは、リサイクル券８のＩＤ番号ごとに、マットレスメーカに関する情報の欄、廃棄マットレスの受付店（集配センター）名に関する情報の欄、運送会社名に関する情報の欄、製鋼工場名に関する情報の欄を示す。図９に示すように、マットレスメーカに関する情報の欄は、マットレスメーカーの名称、そのコード番号、マットレスサイズを示す。受付店（集配センター）名に関する情報の欄は、受付店（集配センター）の名称、そのコード番号、受付日、圧縮加工した加工日を示す。運送会社名に関する情報の欄は、運送会社の名称、そのコード番号、運送会社の収集日、製鋼工場への搬入日を示す。製鋼工場名に関する情報の欄は、製鋼工場の名称、そのコード番号、製鋼工場への受入日を示す。このデータベースＢは、排出者に関する個人情報（氏名、住所等）を開示しない。
【００３３】
図１０は、管理センター６が作成する特定の時期（２○○○年の○月度）における特定地区の業務実施状表を表すデータベースＣを示す。図１０に示すように、集配センターの欄は、集配センターのコード番号毎に、収集・加工した合計数がマットレスのサイズ毎に（シングル、セミダブル、ダブル、ワイドダブル、クイーン、その他）を表示する。図１０に示すように、データベースＣによれば、運送会社の欄は、運送会社の名称、そのコード番号、その運送会社４が運送した合計数がマットレス１のサイズ毎に（シングル、セミダブル、ダブル、ワイドダブル、クイーン、その他）を表示する。図１０に示すように、製鋼工場の欄は、製鋼工場の名称、そのコード番号の他にも、その製鋼工場で受け入れた合計数がマットレスのサイズ毎に（シングル、セミダブル、ダブル、ワイドダブル、クイーン、その他）を表示する。このデータベースＣは、排出者に関する個人情報（氏名、住所等）を表示しない。
【００３４】
そして管理センター６のマスターコンピュータ６０は、家具店２における廃棄マットレス１の引取数、圧縮加工業者でもある集配センター３における廃棄マットレス１の圧縮数、運送会社４における廃棄マットレス１の運送数、製鋼工場５における廃棄マットレス１の受入数に基づいて、家具店２、集配センター３、運送会社４、製鋼工場５のそれぞれに対して、相当ぶんの費用の支払いを指令し、リサイクル料金の公正的な分配を行う。このようにしてマスターコンピュータ６０は、排出されたスプリングマットレス１を特定し、廃棄受付から鉄鋼材料化する製鋼工場５までの物流プロセスを各拠点ごとに日程管理する。リサイクルの進展状況は、リサイクルシステムに参画している企業だけでなく、一般消費者（排出者を含む）もインターネット等を通じてリアルタイムに確認することができる。また、運送会社４が巡回収集することにより、引取り場所におけるストックスペースを極力少なくでき、かつ、運送効率を極力高くする管理システムを構築でき、リサイクル費用を低減できるシステムが提供される。
【００３５】
本システムによれば、収集／引取り時の受付情報、圧縮加工の情報、巡運送集の情報、製鋼工場５の受入情報をそれぞれの拠点で所定の書式の入力データ（図４〜図７）に入力することにより、管理センター６のマスターコンピュータ６０に自動的に送信され、マスターコンピュータ６０に搭載のデータベースに入力されると同時に、巡回収集計画を複数出力できる仕組みと、スプリングマットレス１の物流状況表、各業者の業務実施状況表を出力できる仕組みを兼ね備えるものである。複数の巡回収集計画をマスターコンピュータ６０がチェック確認し、そのうちのひとつを選んで巡回収集計画として決定し、運送会社４に指示することにより、作業効率を高めることが出来る。
【００３６】
以上説明したように本システムによれば、スプリングマットレスを資源または処理材等として、製鋼工場５の熔解炉５２に投入するため、スプリングマットレスの廃棄にあたり、布部分等の軟質部分と硬いスプリング部分とに解体せずともよい。更に、廃棄マットレスを受け入れた製鋼工場５から廃棄マットレス１の数を含むデータを受信するため、廃棄マットレス１の廃棄処分を把握することができる。
【００３７】
本システムによれば、リサイクル券８のＩＤ番号で特定されたスプリングマットレス１がリサイクルの物流上にある状態を各拠点ごとに日々管理されている。そして進展状況が日々更新されており、インターネットを通してリサイクルシステムにかかわっている。このため関係者だけでなく一般消費者でも最新状況を確認することが出来る。各拠点の業務実績が明確になっているので、リサイクル費用の公正な分配が可能となる。使用済みスプリングマットレス１は家具店２の集配センター３に回収される量は、一般的には、１日に０〜１０本程度である。圧縮加工により体積が小さくなっているとはいえ、トラック等の車両４３の１台分の量をまとめようとすると、それなりのスペースが集配センター３側に必要であるが、本システムによる巡回収集方式によれば、集配センター３側におけるストックの上限を定め、巡回収集計画に基づいて巡回収集されてゆくので、集配センター３側のスペース負荷は極めて小さいものになる。
【００３８】
更に説明を加えると、本システムによれば、マスターコンピュータ６０は次の（１）〜（１１）の操作を実行する。
（１）取次業者７の取次業者端末７０からリサイクル券８の支払い料金の額（管理センター６が得た利益）に関するデータを通信ネットワークを介して受信する。
（２）廃棄マットレス１を引き取った家具店２の家具店端末２０から廃棄マットレス１に関するデータ（図４に示すように、受付日、受付店の名称、リサイクル券のＩＤ番号、排出者氏名、住所、ＴＥＬ、マットレス１メーカー名、マットレス１メーカーのコード番号、マットレス１サイズ等）を通信ネットワークを介して受信する。
（３）家具店端末２０から通信ネットワークを介して受信した廃棄マットレスの数を含むデータ（図４に示す受付日、受付店の名称、リサイクル券８のＩＤ番号、排出者氏名、住所、ＴＥＬ、マットレスメーカー名、マットレスメーカーのコード番号、マットレスサイズ等）をデータベースに格納する。
（４）廃棄マットレス１を引き取った圧縮加工業者でもある集配センター３の集配センター端末３０から、廃棄マットレス１を圧縮したことを確定するデータ（即ち、圧縮加工したマットレスのリサイクル券８のＩＤ番号に相当）を通信ネットワークを介して受信する。
（５）マスターコンピュータ６０のデータベースに記憶されているデータを読み込む。これにより集配センター３において現在ストックされている圧縮加工済みの廃棄マットレス１のストック数を確定する。そしてストック数に基づいて廃棄マットレス１の巡回回収計画を確定する。
（６）巡回回収計画に基づく廃棄マットレス１の運送指令を運送会社４の運送会社端末４０に通信ネットワークを介して送信する。
（７）運送会社４が運送した廃棄マットレス１に関するデータ（図６に示す運送日、運送会社名、搬出された集配センター名、集配センターのコード番号、運送したマットレス１のリサイクル券８のＩＤ番号等）を運送会社端末４０から通信ネットワークを介して受信する。
（８）運送会社４から廃棄マットレス１を受け入れた製鋼工場５の製鋼工場端末５０から廃棄マットレス１に関するデータ（製鋼工場名、製鋼工場のコード番号、受け入れたマットレスのリサイクル券８のＩＤ番号等）を通信ネットワークを介して受信する。
（９）家具店２における廃棄マットレス１の引取数、集配センター３における廃棄マットレス１の圧縮数、運送会社４における廃棄マットレス１の運送数、製鋼工場５における廃棄マットレス１の受入数をデータベースに格納する。
（１０）家具店２における廃棄マットレス１の引取数、圧縮加工業者でもある集配センター３における廃棄マットレス１の圧縮数、運送会社４における廃棄マットレス１の運送数、製鋼工場５における廃棄マットレス１の受入数をデータベースから読み込む。これらに基づいて、家具店２、圧縮加工業者である集配センター３、運送会社４、製鋼工場５のそれぞれに対する料金を確定する。
（１１）家具店２、圧縮加工業者でもある集配センター３、運送会社４、製鋼工場５に対する料金に関する情報を、家具店端末２０、集配センター端末３０、運送会社端末４０、製鋼工場端末５０にそれぞれ通信ネットワークを介して送信する。
【００３９】
本システムは以下のフローチャートに基づいて行うことができる。図１２〜図１５に示すフローチャートはあくまでも制御則の一例であり、これに限定されるものではない。図１２はマスターコンピュータ６０が実行するメインルーチンを示す。メインルーチンはデータベース作成処理（ステップＳ１００）、巡回収集計画作成処理（ステップＳ２００）、支払確定処理（ステップＳ３００）、その他の処理（ステップＳ４００）を含む。図１３はマスターコンピュータ６０が実行するデータベース作成処理のフローチャートを示す。まず、取次業者端末７０からの受信があるか否か判定する（ステップＳ１０２）。受信があれば、その情報（リサイクル券８のＩＤ番号、リサイクル券の代金）をマスターコンピュータ６０のデータベースに格納する（ステップＳ１０４）。家具店端末２０からの受信があるか否か判定する（ステップＳ１０６）。受信があれば、その情報（図４に示すように、廃棄マットレスを引き取った年月日、リサイクル券のＩＤ番号、排出者氏名、住所、ＴＥＬ、マットレスメーカー名、マットレスメーカーのコード番号、マットレスサイズ）をデータベースに格納する（ステップＳ１０８）。集配センター端末３０からの受信があるか否か判定する（ステップＳ１１０）。受信があれば、その情報（図５に示すように、集配センターで引き取った年月日、集配センターの名称、年月日、圧縮加工したマットレスのリサイクル券のＩＤ番号）をデータベースに格納する（ステップＳ１１２）。運送会社端末４０からの受信があるか否か判定する（ステップＳ１１４）。受信があれば、運送した廃棄マットレス１に関するデータ（図６に示すように運送した年月日、運送会社名、搬出された集配センター名、集配センターのコード番号、運送したマットレスのリサイクル券のＩＤ番号）をデータベースに格納する（ステップＳ１１６）。製鋼工場端末５０からの受信があるか否か判定する（ステップＳ１１８）。受信があれば、廃棄マットレス１を受け入れた製鋼工場５の製鋼工場端末５０から通信ネットワークを介して廃棄マットレス１に関するデータ（図７に示すように製鋼工場に受け入れた年月日、製鋼工場名、製鋼工場のコード番号、受け入れたマットレス１のリサイクル券８のＩＤ番号）をデータベースに格納する（ステップＳ１２２）。その後、データベースの整理（ステップＳ１２２）を行い、データベースを公開させる指令（ステップＳ１２４）を行ない、メインルーチンにリターンする。なお、ステップＳ１０２，Ｓ１０６，Ｓ１１０，Ｓ１１４，Ｓ１１８は各業者からデータを受信する受信手段として機能する。ステップＳ１０４，Ｓ１０８，Ｓ１１２，Ｓ１１６，Ｓ１２０は各業者からのデータをデータベースに格納する業務状況格納手段として機能する。
【００４０】
図１４は、マスターコンピュータ６０が実行する巡回収集計画作成処理のフローチャートを示す。まず、製鋼工場５は地区別に存在するため、地区別の製鋼工場５を選定する（ステップＳ２０２）。巡回収集は基本的には定期的に行う。このためその地区における巡回収集計画を作成する時期が到達したか否か判定する（ステップＳ２０４）。巡回収集計画を作成する時期が到達していなければ、メインルーチンにリターンする。時期が到達していれば、データベースを読み込み、各集配センター３に現在ストックされている廃棄マットレス１のストック数を確定する（ステップＳ２０６）。ストック数が多い順に各集配センター３を並べる（ステップＳ２０８）。ストック合計数がＮ個となるまで、ストック数が多い順に、各集配センター３を巡回収集リストとして選定する（ステップＳ２１０）。ストック合計数Ｎ個は、運搬収集に用いる車両４３に積載可能な量を基準として決定されている。更に、長期間にわたりストックされている廃棄マットレス１が存在するか否か判定する（ステップＳ２１２）。長期間にわたりストックされている廃棄マットレス１が仮に存在していれば、その集配センター３も巡回収集リストとして選定する（ステップＳ２１４）。このようにして巡回収集する全部の集配センター３を確定する（ステップＳ２１６）。これにより巡回収集する集配センター３をリストアップした巡回収集計画が規定される。なお巡回収集計画は複数の案を作成しても良い。作成した巡回収集計画を運送会社端末４０に通信ネットワークを介して送信する（ステップＳ２１８）。巡回収集計画を製鋼工場端末５０に送信する（ステップＳ２２０）。管轄地区内の全ての製鋼工場５について巡回収集計画を立てていなければ、ステップＳ２０２に戻る。管轄地区内の全ての製鋼工場５について巡回収集計画を立てていれば、メインルーチンにリターンする。
【００４１】
図１５は、マスターコンピュータ６０が実行する支払確定処理のフローチャートを示す。まず、地区別に支払確定処理を行うため、製鋼工場５を選定する（ステップＳ３０２）。支払時期が到達したか否か判定する（ステップＳ３０４）。支払の対象となる特定の年の特定の月について各業者が行った業務について、データベースを読み込む（ステップＳ３０６）。即ち、データベースに格納されている家具店２における廃棄マットレス１の引取数Ｎ１、集配センター３における廃棄マットレス１の圧縮数Ｎ２、運送会社４における廃棄マットレス１の運送数Ｎ３、製鋼工場５における廃棄マットレス１の受入数Ｎ４をデータベースから読み込み、確定する（ステップＳ３０８）。これらに基づいて、家具店２、集配センター３、運送会社４、製鋼工場５のそれぞれに対する料金を確定する（ステップＳ３１０）。ステップＳ３０８，Ｓ３１０は各業者に対する支払料金または受取料金を確定する料金確定手段として機能する。ここで、家具店２における廃棄マットレス１の引取数の１個当たりの単価はα１として、集配センター３における廃棄マットレス１の圧縮数の１個当たりの単価はα２として、運送会社４における廃棄マットレス１の運送数の１個当たりの単価はα３として、製鋼工場５における廃棄マットレス１の受入数の１個当たりの単価はα４として予め規定されている。このため家具店２への支払は基本的には（Ｎ１×α１）＋β１に相当する。集配センター３への支払は基本的には（Ｎ２×α２）＋β２に相当する。運送会社４への支払は基本的には（Ｎ３×α３）＋β３に相当する。製鋼工場５への支払は基本的には（Ｎ４×α４）＋β４に相当する。β１〜β４は補正値に相当する。なおマットレスのサイズごとに単価α１〜α４を変えても良い。製鋼工場５については、廃棄マットレス１を資源または処理材として使用するため、製鋼工場５から資源代金または処理材代金として料金を管理センターに支払うこともあり得る。銀行コンピュータに指定口座（例えば管理センター６の口座）からの口座引き落とし指令を送信する（ステップＳ３１２）。支払情報を含む支払連絡を家具店端末２０、集配センータ端末、運送会社端末４０、製鋼工場端末５０に送信する（ステップＳ３１４）。仮に管轄内の全部の製鋼工場５について支払確定処理を実行していないならば、ステップＳ３０２に戻る。管轄内の全部の製鋼工場５について支払確定処理を実行していれば、メインルーチンにリターンする。
【００４２】
（他の例）
熔解炉業者は製鋼工場にかぎらず、場合によっては銑鉄工場、製鉄工場でも良く、場合によっては非鉄系の他の溶湯を生成する業者でも良い。マットレスは集配センター３で圧縮加工されるが、これにかぎらず、家具店２に圧縮装置９を装備しておき、マットレスは家具店２で圧縮加工されても良い。集配センターは２次引取業者とされているが、２次引取業者として、市町村のリサイクルセンター等としても良い。リサイクル券を取り次ぐ取次業者７は家具店２とは別とされているが、これにかぎらず、家具店等の１次引取業者がリサイクル券を発行することとしても良い。家具店２と集配センター３とが一体的に統合されている形態を採用しても良い。その他、本発明は上記し且つ図面に示した実施例のみに限定されるものではなく、要旨を逸脱しない範囲内で適宜変更して実施できるものである。上記した記載から次の技術的思想も把握できる。
（１）スプリング入りの廃棄マットレスを圧縮加工して嵩密度を増加させると共に複数のスプリングを集合させる工程と、圧縮加工した廃棄マットレスを溶解炉の金属溶湯に装入する工程とを順に実施することを特徴とするスプリング入りの廃棄マットレスのリサイクル方法。
【産業上の利用可能性】
【００４３】
本発明は一般消費者またはホテル等の業者により廃棄されたスプリング入りマットレスをリサイクルするスプリングマットレスリサイクルシステムに利用することができる。
【図面の簡単な説明】
【００４４】
【図１】本システムの全体を示すブロック図である。
【図２】通信ネットワークを介してマスターコンピュータ、各端末が接続されている構成図である。
【図３】リサイクル券を示す図である。
【図４】廃棄マットレスを引き取った受付店（家具店等）が入力する受付入力データを示す図である。
【図５】廃棄マットレスの圧縮加工者が入力する圧縮加工入力データを示す図である。
【図６】廃棄マットレスを巡回収集した運送会社が入力する収集入力データを示す図である。
【図７】廃棄マットレスを受け入れた製鋼工場が入力する受入入力データを示す図である。
【図８】特定時期における各集配センターで圧縮加工された廃棄マットレスのストック状況を示すマスターコンピュータのデータベースである。
【図９】廃棄マットレスの物流状況を示すマスターコンピュータのデータベースである。
【図１０】特定時期における廃棄マットレスについて各業者の業務実施状況を示すマスターコンピュータのデータベースである。
【図１１】（ａ）は廃棄マットレスを圧縮加工している概念を模式的に示す構成図であり、（ｂ）は廃棄マットレスを圧縮加工した後の概念を模式的に示す構成図である。
【図１２】マスターコンピュータが実行するメインルーチンの一例を示すフローチャートである。
【図１３】マスターコンピュータが実行するデータベース作成処理のルーチンの一例を示すフローチャートである。
【図１４】マスターコンピュータが実行する巡回収集計画作成処理のルーチンの一例を示すフローチャートである。
【図１５】マスターコンピュータが実行する支払確定処理のルーチンの一例を示すフローチャートである。
【符号の説明】
【００４５】
１はマットレス、１１はスプリング、２０は家具店端末、３０は集配センター端末、４０は運送会社端末、５０は製鋼工場端末、６０はマスターコンピュータを示す。
【図１】
2005352847.tif 000003
【図２】
2005352847.tif 000004
【図３】
2005352847.tif 000005
【図４】
2005352847.tif 000006
【図５】
2005352847.tif 000007
【図６】
2005352847.tif 000008
【図７】
2005352847.tif 000009
【図８】
2005352847.tif 000010
【図９】
2005352847.tif 000011
【図１０】
2005352847.tif 000012
【図１１】
2005352847.tif 000013
【図１２】
2005352847.tif 000014
【図１３】
2005352847.tif 000015
【図１４】
2005352847.tif 000016
【図１５】
2005352847.tif 000017